(57)【特許請求の範囲】
【請求項１】
外装体と、この外装体の前身頃から後身頃にかけて一体的に接合されるとともに、透液性の表面シートと裏面シートとの間に第１吸収要素が介在された第１吸収性本体とを備え、前身頃と後身頃とが両側端の接合縁部において接合されることによりウエスト開口部と股下部の両側にそれぞれレッグ開口部とが形成されるとともに、前記レッグ開口部が前記股下部より下側に延在するパンツ型紙おむつであって、
前記外装体のレッグ開口部に沿って一体的に接合されるとともに、透液性の表面シートと裏面シートとの間に第２吸収要素が介在された第２吸収性本体が配設され、且つ前記第２吸収要素の肌当接面側にレッグ開口縁寄りの位置であって前記レッグ開口部に沿って脚周り用弾性伸縮部材が配設され、
前記第２吸収性本体は、前記股下部より下側に延在する範囲内に配設されるとともに、レッグ開口周縁に第２吸収性本体の下端周縁を揃えた状態で配設されていることを特徴とするパンツ型紙おむつ。
【請求項２】
前記前身頃と後身頃のいずれか一方又は両方において、ウエスト部及び胴回り部に沿って多数の弾性伸縮部材が配設されるとともに、
前記ウエスト部弾性伸縮部材、胴回り用弾性伸縮部材及び脚周り用弾性伸縮部材は、ウエスト開口部側に配設される弾性伸縮部材の伸縮力よりレッグ開口部側に配設される弾性伸縮部材の伸縮力の方が高くなるように設定されている請求項１記載のパンツ型紙おむつ。
【請求項３】
前記脚周り用弾性伸縮部材が撥水性を有するギャザー不織布間に配設されることによりギャザーシートを構成するとともに、
前記ギャザーシートが前記第２吸収要素の肌当接面側に前記レッグ開口部に沿って配設されている請求項１、２いずれかに記載のパンツ型紙おむつ。
【請求項４】
前記第２吸収要素は、前記レッグ開口部の周方向に複数に分割して形成され、各分割吸収要素の間に離間部が設けられている請求項１〜３いずれかに記載のパンツ型紙おむつ。
【請求項５】
前記第２吸収要素は、前記レッグ開口部から上下方向に複数に分割して形成され、各分割吸収要素の間に離間部が設けられている請求項１〜３いずれかに記載のパンツ型紙おむつ。
【請求項６】
前記第２吸収要素は、前記脚周り用弾性伸縮部材を境界として、前記レッグ開口部の周方向に沿って、下側からの切欠き部と上側からの切欠き部とが交互に形成されている請求項１〜３いずれかに記載のパンツ型紙おむつ。
【発明の詳細な説明】
【技術分野】
【０００１】
本発明は、前身頃と後身頃とが両側端の接合縁部において接合されることによりウエスト開口部と股下部の両側にそれぞれレッグ開口部とが形成されるとともに、前記レッグ開口部が前記股下部より下側に延在する、所謂ボクサータイプのパンツ型紙おむつに関する。
【背景技術】
【０００２】
従来より、透液性の表面シートと裏面シートとの間に吸収要素が介在された吸収性本体と、この吸収性本体と一体的に接合され、少なくとも前身頃と後身頃とを構成するとともに前身頃及び後身頃のそれぞれの領域において、ウエスト部及び胴回り部に沿って多数の弾性伸縮部材が配設された外装シートとから構成され、前記外装シートの前身頃と後身頃とが両側端の接合縁部において接合されることによりウエスト開口部及び左右一対のレッグ開口部が形成されたパンツ型紙おむつが知られている。
【０００３】
かかる紙おむつにも種々の改良が重ねられ、横漏れ防止機能を重視したものが提案されている。例えば、下記特許文献１では、幅方向の中央に位置する第１吸収コアと、その両側に位置する第２吸収コアとを備えた吸収性物品が開示されている。
【先行技術文献】
【特許文献】
【０００４】
【特許文献１】特開２００５−２７０３４６号公報
【発明の概要】
【発明が解決しようとする課題】
【０００５】
しかしながら、上記特許文献１記載の吸収性物品では、第１吸収コアの両側に第２吸収コアが備えられているため、ある程度の横漏れを防止することが期待できるものの、前記第２吸収コアが脚周りにフィットできる構造とはなっていないため、脚の動きに追従できず、脚周りからの漏れが生じるおそれがあった。
【０００６】
一方、近年では所謂ボクサータイプのパンツ型紙おむつが知られているが、装着中に脚周りの外装体がめくれ上がり、隙間が生じて漏れを生じるとともに、外装体のめくれ上がりによって紙おむつのフィット性が低下し、装着者に不快感を与えていた。
【０００７】
そこで本発明の主たる課題は、脚周りからの漏れを防止するとともに、脚周りの外装体のめくれを防ぎ、フィット性を向上し、不快感の低減を図ったパンツ型紙おむつを提供することにある。
【課題を解決するための手段】
【０００８】
上記課題を解決するために請求項１に係る本発明として、外装体と、この外装体の前身頃から後身頃にかけて一体的に接合されるとともに、透液性の表面シートと裏面シートとの間に第１吸収要素が介在された第１吸収性本体とを備え、前身頃と後身頃とが両側端の接合縁部において接合されることによりウエスト開口部と股下部の両側にそれぞれレッグ開口部とが形成されるとともに、前記レッグ開口部が前記股下部より下側に延在するパンツ型紙おむつであって、
前記外装体のレッグ開口部に沿って一体的に接合されるとともに、透液性の表面シートと裏面シートとの間に第２吸収要素が介在された第２吸収性本体が配設され、且つ前記第２吸収要素の肌当接面側にレッグ開口縁寄りの位置であって前記レッグ開口部に沿って脚周り用弾性伸縮部材が配設され、
前記第２吸収性本体は、前記股下部より下側に延在する範囲内に配設されるとともに、レッグ開口周縁に第２吸収性本体の下端周縁を揃えた状態で配設されていることを特徴とするパンツ型紙おむつが提供される。
【０００９】
上記請求項１記載の発明では、外装体と、この外装体の前身頃から後身頃にかけて一体的に接合されるとともに、透液性の表面シートと裏面シートとの間に第１吸収要素が介在された第１吸収性本体とを備えたものである。かかるパンツ型紙おむつにおいては、外装体のレッグ開口部に沿って一体的に接合するとともに、透液性の表面シートと裏面シートとの間に第２吸収要素が介在された第２吸収性本体を配設し、且つ前記第２吸収要素の肌当接面側にレッグ開口縁寄りの位置であって前記レッグ開口部に沿って脚周り用弾性伸縮部材を配設するようにする。これにより、上記請求項１記載の発明と同様に、脚周りからの漏れが防止できるとともに、脚周りの外装体のめくれが防止でき、フィット性の向上及び不快感の低減を図ることができるようになる。
【００１０】
また、レッグ開口部に沿って第２吸収要素が配設されるため、第２吸収要素の剛性により、レッグ開口部からの外装体のめくれが防止でき、フィット性が向上でき、不快感が低減できるようになる。
【００１１】
請求項２に係る本発明として、前記前身頃と後身頃のいずれか一方又は両方において、ウエスト部及び胴回り部に沿って多数の弾性伸縮部材が配設されるとともに、
前記ウエスト部弾性伸縮部材、胴回り用弾性伸縮部材及び脚周り用弾性伸縮部材は、ウエスト開口部側に配設される弾性伸縮部材の伸縮力よりレッグ開口部側に配設される弾性伸縮部材の伸縮力の方が高くなるように設定されている請求項１記載のパンツ型紙おむつが提供される。
【００１２】
上記請求項２記載の発明は、脚周りのレッグ開口部からのめくれをより確実に防止するため、前記ウエスト部弾性伸縮部材、胴回り用弾性伸縮部材及び脚周り用弾性伸縮部材の伸縮力を所定の条件で配設されるように設定したものである。
【００１３】
請求項３に係る本発明として、前記脚周り用弾性伸縮部材が撥水性を有するギャザー不織布間に配設されることによりギャザーシートを構成するとともに、
前記ギャザーシートが前記第２吸収要素の肌当接面側に前記レッグ開口部に沿って配設されている請求項１、２いずれかに記載のパンツ型紙おむつが提供される。
【００１４】
上記請求項３記載の発明では、撥水性を有するギャザーシートを第２吸収要素の肌当接面側にレッグ開口部に沿って配設することにより、脚周りを伝う体液の漏れが確実に防止でき、第２吸収要素に吸収保持できるようになる。
【００１５】
請求項４に係る本発明として、前記第２吸収要素は、前記レッグ開口部の周方向に複数に分割して形成され、各分割吸収要素の間に離間部が設けられている請求項１〜３いずれかに記載のパンツ型紙おむつが提供される。
【００１６】
上記請求項４記載の発明は、前記第２吸収要素の形態例について規定したものであり、レッグ開口部の周方向に複数に分割して形成し、各分割吸収要素の間に離間部を設けるようにしたものである。これにより、脚周り用弾性伸縮部材の伸縮作用によって各分割吸収要素が接離自在となり、特に脚周りの周方向への追従性が良好となり、脚周りのフィット性向上による体液の漏れ防止が図れるようになる。
【００１７】
請求項５に係る本発明として、前記第２吸収要素は、前記レッグ開口部から上下方向に複数に分割して形成され、各分割吸収要素の間に離間部が設けられている請求項１〜３いずれかに記載のパンツ型紙おむつが提供される。
【００１８】
上記請求項５記載の発明は、前記第２吸収要素の他の形態例について規定したものであり、レッグ開口部から上下方向に複数に分割して形成し、各分割吸収要素の間に離間部を設けるようにしたものである。これにより、特に脚周りの上下方向への追従性が良好となり、脚周りのフィット性向上による体液の漏れ防止が図れるようになる。
【００１９】
請求項６に係る本発明として、前記第２吸収要素は、前記脚周り用弾性伸縮部材を境界として、前記レッグ開口部の周方向に沿って、下側からの切欠き部と上側からの切欠き部とが交互に形成されている請求項１〜３いずれかに記載のパンツ型紙おむつが提供される。
【００２０】
上記請求項６記載の発明は、前記第２吸収要素の他の形態例について規定したものであり、ギャザーシートに配設された弾性伸縮部材を境界として、レッグ開口部の周方向に沿って、下側からの切欠き部と上側からの切欠き部とが交互に形成されるようにしたものである。これにより、脚周り用弾性伸縮部材の伸縮力が吸収要素全体に亘って作用するようになるとともに、脚周りを伝う体液を確実に捕捉でき、且つあらゆる方向の複雑な動きに対しても吸収要素の追従性が良好となり脚周りへのフィット性の向上による体液の漏れ防止が確実となる。
【発明の効果】
【００２１】
以上詳説のとおり本発明によれば、脚周りからの漏れを防止するとともに、脚周りの外装体のめくれを防ぎ、フィット性を向上し、不快感の低減を図ったパンツ型紙おむつが提供できるようになる。
【図面の簡単な説明】
【００２２】
【図１】本発明の第１形態例に係るパンツ型紙おむつ１の製品状態外観図である。
【図２】その一部破断展開図である。
【図３】図２のIII−III線矢視図である。
【図４】他の形態例（その１）を示す、(A)は展開図、(B)は製品状態正面図である。
【図５】他の形態例（その２）を示す、(A)は展開図、(B)は製品状態正面図である。
【図６】他の形態例（その３）を示す、(A)は展開図、(B)は製品状態正面図である。
【図７】本発明の第２形態例に係るパンツ型紙おむつ１Ａの一部破断展開図である。
【図８】図７のVIII−VIII線矢視図である。
【発明を実施するための形態】
【００２３】
以下、本発明の実施の形態について図面を参照しながら詳述する。
〔第１形態例〕
本発明の第１形態例に係るパンツ型紙おむつ１（以下、単に紙おむつという。）は、図１〜図３に示されるように、不織布などからなる透液性の表面シート１１と、ポリエチレン等からなる裏面シート１２と、これら両シート１１、１２間に介在された綿状パルプ又は合成パルプなどからなる吸収体１３及び該吸収体１３を囲繞する被包シート１４を含む第１吸収要素１５とからなる第１吸収性本体１０と、この第１吸収性本体１０が幅方向略中央部に前身頃及び後身頃に跨って一体的に接合される外装体２０とが備えられ、製品状態で、前記外装体２０の前身頃と後身頃とが両側部の接合縁部２５において接合されることにより、ウエスト開口部ＷＯと股下部ＣＲの両側にそれぞれレッグ開口部ＬＯ、ＬＯとが形成されるとともに、前記レッグ開口部ＬＯ、ＬＯが前記股下部ＣＲより下側に延在して形成される、所謂ボクサータイプのパンツ型紙おむつである。
【００２４】
特に、本発明では、前記レッグ開口部ＬＯに沿って、不織布などからなる透液性の表面シート３１と、ポリエチレン等からなる裏面シート３２と、これら両シート３１、３２間に介在された綿状パルプ又は合成パルプなどからなる吸収体３３及び該吸収体３３を囲繞する被包シート３４を含む第２吸収要素３５とからなる第２吸収性本体３０が配設されている。
【００２５】
さらに、前記第２吸収要素３５の肌当接面側には、ギャザー不織布４１、４１間に前記レッグ開口部ＬＯに沿って脚周り用弾性伸縮部材４２が配設されたギャザーシート４０が接合されている。なお、前記脚周り用弾性伸縮部材４２は、前記ギャザー不織布４１、４１間に配設されなくても、第２吸収要素３５の配設位置又はその近傍において、前記レッグ開口部ＬＯに沿って配設されていれば良い。
【００２６】
以下、前記第１吸収性本体１０、外装体２０、第２吸収性本体３０及びギャザーシート４０の順に詳細に説明する。
【００２７】
（第１吸収性本体１０）
第１吸収性本体１０は、前述したように、不織布などからなる透液性の表面シート１１と、ポリエチレン等からなる防漏シート１２との間に、綿状パルプなどの吸収体１３を含む第１吸収要素１５を介在させた構造とされ、表面側に排泄された体液を吸収保持するためのものである。
【００２８】
前記吸収体１３は、図示例では平面形状を略方形状として成形されたものが使用され、その幅寸法は股間部への当たりによって着用者にゴワ付き感を与えない寸法幅となっている。この吸収体１３は、形状保持と表面シート１１を透過した体液の拡散性向上のために被包シート１４によって囲繞されている。前記被包シート１４は、紙又は不織布を使用することができる一方、無くても良い。
【００２９】
前記第１吸収要素１５の表面側（肌当接面側）を覆う透液性の表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。表面シート１１に多数の透孔を形成した場合には、尿などが速やかに吸収されるようになり、ドライタッチ性に優れたものとなる。
【００３０】
前記第１吸収要素１５の裏面側（非肌当接面側）を覆う裏面シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００３１】
（外装体２０）
外装体２０は、上層不織布２０Ａ及び下層不織布２０Ｂがホットメルトなどの接着剤により接合された２層構造の不織布シートとされ、前記上層不織布２０Ａと下層不織布２０Ｂとの間に各種弾性伸縮部材が接着され、伸縮性が付与されている。平面形状は、中間両側部に夫々レッグ開口部ＬＯを形成するための凹状の脚回りカットラインにより、全体として擬似砂時計形状を成している。
【００３２】
本発明に係る外装体２０においては、前記弾性伸縮部材として、図２に示されるように、ウエスト開口部ＷＯの開口縁近傍となる位置に配置されたウエスト部弾性伸縮部材２１，２１…と、前身頃及び後身頃に、上下方向に間隔をおいて水平方向に沿って配置され、腰回りにシャーリングを形成するための複数の胴回り弾性伸縮部材群２２，２２…とを有する。
【００３３】
前記ウエスト部弾性伸縮部材２１，２１…は、前身頃と後身頃とが接合された両側部の接合縁部２５の範囲の内、ウエスト開口部ＷＯの開口縁近傍に上下方向に間隔をおいて配設された複数本の糸ゴム状弾性伸縮部材であり、身体のウエスト部回りを締め付けるように伸縮力を与えることにより紙おむつを身体に装着するためのものである。このウエスト部弾性伸縮部材２１は、図示例では糸ゴムが用いられているが、例えばテープ状の伸縮部材を用いてもよい。
【００３４】
前記胴回り弾性伸縮部材群２２，２２…は、両側部の接合縁部２５のウエスト開口縁を除く上部位置から所定範囲に亘り、上下方向に間隔をおいて水平方向に沿って配設された糸ゴム状弾性伸縮部材であり、前身頃及び後身頃の腰回り部分に夫々、水平方向の伸縮力を与えるためのものである。なお、前記ウエスト部弾性伸縮部材２１、２１…と胴回り弾性伸縮部材群２２、２２…との境界は必ずしも明確でなくてよい。例えば、前身頃及び後身頃に上下方向に間隔をおいて水平方向に配置された弾性伸縮部材の内、数は特定できなくても、上部側の何本かがウエスト部弾性伸縮部材２１として機能し、残りの弾性伸縮部材が腰回り弾性伸縮部材２２として機能していればよい。
【００３５】
また、外装体２０の長手方向略中央部に幅方向に沿うとともに、両側に配設される前記脚周り用弾性伸縮部材４２、４２間に跨るように、収縮力付与部材２３が配置されている。この収縮力付与部材２３は、紙おむつ１の製造工程において外装体２０の股間部を収縮させ、この収縮状態の外装体２０に前記第１吸収性本体１０を接合することにより、レッグ開口部ＬＯが股下部ＣＲより下側に延在する所謂ボクサータイプのパンツ型紙おむつを形成するためのものである。かかる収縮力付与部材２３としては、公知の糸ゴム、テープ状ゴムなどが使用できる。なお、前記第１吸収性本体１０を接合後、前記収縮力付与部材２３は細かく切断され、収縮力が除去されるようにする。
【００３６】
なお、前記外装体２０は、前身頃用外装体と後身頃用外装体とからなる２枚の外装体を重ね合わせ、両側端の接合縁部及び下端中央部の接合縁部をそれぞれ接合することにより、前記紙おむつ１を構成しても良い。この場合、前記収縮力付与部材２３は不要である。
【００３７】
（第２吸収性本体３０）
第２吸収性本体３０は、上記第１吸収性本体１０と同様に、不織布などからなる透液性の表面シート３１と、ポリエチレン等からなる防漏シート３２との間に、綿状パルプなどの吸収体３３を含む第２吸収要素３５を介在させた構造とされ、前記ギャザーシート４０の収縮力が作用することにより、脚周りに密着して脚周りに伝う体液を吸収保持して脚周りからの体液の漏れを防止するとともに、該第２吸収性本体３０の剛性により、外装体のめくれを防ぎ、フィット性を向上し不快感の低減を図るためのものである。ただし、脚周りのゴワ付き感を軽減するため、前記吸収体３３は、第１吸収性本体１０の吸収体１３より薄く形成されている。
【００３８】
本第２吸収性本体３０は、好ましくは股下部ＣＲから下側に延在してレッグ開口部ＬＯの開口縁部に至る脚周りを覆う外装体２０の範囲内に、レッグ開口部ＬＯに沿って配設されるものである。前記第２吸収性本体３０は、図２の展開図に示されるように、一方側の接合縁部２５から他方側の接合縁部２５に至るようにレッグ開口部ＬＯに沿って配置される。なお、外装体２０の構造上、レッグ開口部ＬＯの開口縁部が内腿側から外腿側に漸次おむつ上方に傾斜して形成され、外腿側が股下部ＣＲより上側位置に形成される場合であっても、少なくとも内腿側の股下部ＣＲより下側に延在する範囲内の幅で前記第２吸収性本体３０を配設するようにする。
【００３９】
前記第２吸収性本体３０を構成する第２吸収要素３５は、図２に示されるように、レッグ開口部ＬＯの周方向に亘って一定の幅で一体的に形成することもできるが、図４〜図６に示されるように、種々の形態で形成しても良い。
【００４０】
具体的には、図４に示されるように、第２吸収要素３５を、レッグ開口部ＬＯの周方向に複数に分割して形成し、各分割吸収要素３５Ａ、３５Ａの間に離間部３６Ａを設けることができる。これにより、前記脚周り用弾性伸縮部材４２の伸縮作用によって各分割吸収要素３５Ａ…が接離自在となり、特に脚周りの周方向への追従性が良好となり、脚周りへのフィット性の向上を図ることができるようになる。
【００４１】
また、図５に示されるように、第２吸収要素３５を、レッグ開口部ＬＯから上下方向に複数に分割して形成し、各分割吸収要素３５Ｂ、３５Ｂの間に離間部３６Ｂを設けることができる。これにより、上下方向への動きに対しても第２吸収要素３５の追従性が良好となり、脚周りへのフィット性の向上を図ることができるようになる。
【００４２】
更に、図６に示されるように、前記第２吸収要素３５として、前記脚周り用弾性伸縮部材４２を境界として、前記レッグ開口部ＬＯの周方向に沿って、下側からの切欠き部３６Ｃと上側からの切欠き部３６Ｄとが交互に形成されるようにしたものとすることができる。これにより、前記脚周り用弾性伸縮部材４２の伸縮力が第２吸収要素３５全体に亘って均等に作用するようになるとともに、第２吸収要素３５が周方向に切れ目無く配設されるため脚周りを伝う体液を確実に捕捉でき、且つ脚周りの複雑な動きに対しても第２吸収要素３５の追従性が良好となり、脚周りへのフィット性の向上による体液の漏れ防止が確実となる。
【００４３】
（ギャザーシート４０）
ギャザーシート４０は、前述の通り、ギャザー不織布４１、４１間にレッグ開口部ＬＯに沿って脚周り用弾性伸縮部材４２が接着されたものであり、前記第２吸収性本体３０の肌当接面側に接合されることにより、前記第２吸収性本体３０を脚周りに隙間無くフィットさせるためのものである。このギャザーシート４０は、体液の漏れ防止のため、レッグ開口部ＬＯの開口縁部に沿って接合されることが望ましい。
【００４４】
前記ギャザー不織布４１としては、重要視する機能の点から撥水処理不織布または親水処理不織布を使用することができる。たとえば、体液等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記レッグ開口部ＬＯにおける体液等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることができる。特に本発明では、脚周りからの体液の漏れを確実に防止するため、撥水性の不織布を使用することが望ましい。
【００４５】
前記脚周り用弾性伸縮部材４２は、上記外装体２０に使用される弾性伸縮部材２１、２２と同様に、糸ゴム状弾性伸縮部材又はテープ状弾性伸縮部材を使用することができる。なお、図示例では、糸ゴム状弾性伸縮部材が１本配設されているが、上下方向に間隔をおいて複数本配設しても良い。
【００４６】
ところで、ボクサータイプのパンツ型紙おむつでは、装着中に脚周り部分の外装体２０がめくれ上がり、体液漏れや不快感が生じることが問題となっていた。本紙おむつ１では、かかるめくれ防止のため、以下の手段を備えることができる。
【００４７】
すなわち、第１の手段として、前記外装体２０及びギャザーシート４０に配設される弾性伸縮部材２１…、２２…、４２は、ウエスト開口部ＷＯ側に配設される弾性伸縮部材の伸縮力よりレッグ開口部ＬＯ側に配設される弾性伸縮部材の伸縮力の方が高くなるように設定される構成とする。このような伸縮力の設定条件は、ウエスト開口部ＷＯからレッグ開口部ＬＯにかけて配設される全ての弾性伸縮部材を対象として設定されることが好ましいが、脚周りのめくれ防止の観点から、少なくともレッグ開口部ＬＯが前記股下部ＣＲより下側に延在する部分及びその近傍に配設される弾性伸縮部材を対象として設定すれば良い。
【００４８】
また、脚周りのめくれ防止のための第２の手段としては、前記第２吸収性本体３０の第２吸収要素３５が、内腿側（おむつ装着時の股下側）の方が外腿側（おむつ装着時の両側）より厚く形成される構成としたものである。これにより、外装体２０のめくれやシワが生じやすい内腿側の剛性が高くなり、めくれやシワを防止できるようになる。
【００４９】
〔第２形態例〕
本発明の第２形態例に係るパンツ型紙おむつ１Ａは、図７及び図８に示されるように、不織布などからなる透液性の表面シート２３Ａと、ポリエチレン等からなる裏面シート２４Ａと、これら両シート２３Ａ、２４Ａ間に介在された綿状パルプ又は合成パルプなどからなる吸収体１３Ａ及び該吸収体１３Ａを囲繞する被包シート１４Ａを含む第１吸収要素１５Ａとが備えられ、製品状態で、前記表面シート２３Ａ及び裏面シート２４Ａの前身頃と後身頃とが両側部において接合されることにより、ウエスト開口部ＷＯと股下部ＣＲの両側にそれぞれレッグ開口部ＬＯ、ＬＯとが形成されるとともに、前記レッグ開口部ＬＯ、ＬＯが前記股下部ＣＲより下側に延在して形成される、所謂ボクサータイプのパンツ型紙おむつである。
【００５０】
また、表面シート２３Ａと裏面シート２４Ａとの間のレッグ開口部ＬＯに沿って、綿状パルプ又は合成パルプなどからなる吸収体３３Ａ及び該吸収体３３Ａを囲繞する被包シート３４Ａを含む第２吸収要素３５Ａが配設されている。
【００５１】
さらに、前記第２吸収要素３５Ａの配設位置又はその近傍にレッグ開口部ＬＯに沿って、脚周り用弾性伸縮部材４２Ａが配設されている。
【符号の説明】
【００５２】
１・１Ａ…パンツ型紙おむつ、１０…第１吸収性本体、１１…表面シート、１２…裏面シート、１３・１３Ａ…吸収体、１４・１４Ａ…被包シート、１５・１５Ａ…第１吸収要素、２０…外装体、２１・２２…弾性伸縮部材、３０…第２吸収性本体、３１…表面シート、３２…裏面シート、３３・３３Ａ…吸収体、３４・３４Ａ…被包シート、３５・３５Ａ…第２吸収要素、４０…ギャザーシート、４１…ギャザー不織布、４２…脚周り用弾性伸縮部材、ＣＲ…股下部、ＬＯ…レッグ開口部、ＷＯ…ウエスト開口部
【図１】
0005528750.tif 000002
【図２】
0005528750.tif 000003
【図３】
0005528750.tif 000004
【図４】
0005528750.tif 000005
【図５】
0005528750.tif 000006
【図６】
0005528750.tif 000007
【図７】
0005528750.tif 000008
【図８】
0005528750.tif 000009